(57)【要約】【課題】偏芯ホルダに支持されるか否かにかかわらず電極チップに傷付けずにその電極チップを簡単に抜いて取り外し可能にする。【解決手段】ピン２９で互いに回転可能に結合される一対のトング・メンバ１２、１２、その一対のトング・メンバ１２、１３の先端に対応的に形成される半割りチャック１４、その一対のトング・メンバ１２、１３のハンマ・スライド・ロッド・エンド１９、２０に対応的に形成される一対のハンマ受け２１、２２、およびそのピン２９および半割りチャック１４の間でその一対のトング・メンバ１２、１３に対応的に突き出されて挟み動作させる一対のグリップ２３、２４から構成されるチップ・トング１１と、その一対のトング・メンバ１２、１３の両方のそのハンマ・スライド・ロッド１７、１８をはめ合わせてそのハンマ・スライド・ロッド１７、１８に摺動可能にするスリット２８を開口するハンマ・ヘッド２６およびそのハンマ・ヘッド２６に一体的に結合されるシャンク２７から構成されるチップ抜きハンマ２５とを含む。【選択図】        図１
2004174554.tif 000002
【特許請求の範囲】
【請求項１】
ピンで互いに回転可能に結合される一対のトング・メンバ、その一対のトング・メンバの先端に対応的に形成される半割りチャック、その一対のトング・メンバのハンマ・スライド・ロッド・エンドに対応的に形成される一対のハンマ受け、およびそのピンおよび半割りチャックの間でその一対のトング・メンバに対応的に突き出されて挟み動作させる一対のグリップから構成されるチップ・トングと、その一対のトング・メンバの両方のそのハンマ・スライド・ロッドをはめ合わせてそのハンマ・スライド・ロッドに摺動可能にするスリットを開口するハンマ・ヘッドおよびそのハンマ・ヘッドに一体的に結合されるシャンクから構成されるチップ抜きハンマとを含むスポット溶接機のキャップ型電極チップ交換工具。
【発明の詳細な説明】
【０００１】
【発明の関係する分野】
この発明は、スポット溶接機のキャップ型電極チップ交換工具に関する。
【０００２】
【背景技術】
そのスポット溶接機では、溶接作業が多く繰り返して行われると、電極チップは摩耗されてひんぱんに交換され、また、段取り代えにより異種の電極チップに交換されるのが一般である。
その電極チップは工具で挟み、回転させてその溶接機のシャンクから抜かれるかあるいはテーパ工具でそのシャンクから抜き取られる。そのように、その電極チップが工具で回転させられて緩められ、そして、外される場合、その電極チップは傷付き易く再使用が困難になり、また、そのシャンクが偏芯ホルダに支持される場合、全体が回転されてスポット打点位置を再度セットせねばならない不具合があった。
【０００３】
【発明の課題】
この発明の課題は、偏芯ホルダに支持されるか否かにかかわらず電極チップに傷付けずにその電極チップを簡単に抜いて取り外し可能にするところのスポット溶接機のキャップ型電極チップ交換工具の提供にある。
【０００４】
【課題に相応する手段およびそれの作用】
この発明は、ピンで互いに回転可能に結合される一対のトング・メンバ、その一対のトング・メンバの先端に対応的に形成される半割りチャック、その一対のトング・メンバのハンマ・スライド・ロッド・エンドに対応的に形成される一対のハンマ受け、およびそのピンおよび半割りチャックの間でその一対のトング・メンバに対応的に突き出されて挟み動作させる一対のグリップから構成されるチップ・トングと、その一対のトング・メンバの両方のそのハンマ・スライド・ロッドをはめ合わせてそのハンマ・スライド・ロッドに摺動可能にするスリットを開口するハンマ・ヘッドおよびそのハンマ・ヘッドに一体的に結合されるシャンクから構成されるチップ抜きハンマとを含み、そして、最初にその半割りチャックの片側に電極チップを当て、その一対のグリップを握り締めてその半割りチャックにその電極チップを挟み込む、次いで、その両方のトング・メンバのそのハンマ・スライド・ロッドの上方にそのチップ抜きハンマのそのハンマ・ヘッドのそのスリットをはめ合わせ、そのチップ抜きハンマをそのハンマ・スライド・ロッドに沿って下方に滑らせてそのハンマ・ヘッドをそのハンマ受けに勢いよく当て、そして、その電極チップを抜いて取り外す。
【０００５】
【具体例の説明】
以下、特定されて図示された具体例に基づいて、この発明のスポット溶接機のキャップ型電極チップ交換工具を説明するに、図１ないし図３は、スポット溶接機３０に活用されるところのこの発明のスポット溶接機のキャップ型電極チップ交換工具の具体例１０を示し、また、そのスポット溶接機３０は、偏芯ホルダ３１が備えられ、そして、キャップ型電極チップ４０がその返信ホルダ３１のシャンク３２のテーパ・ホーン３３に保持される構造である。
【０００６】
そのキャップ型電極チップ交換工具１０では、チップ・トング１１がピン２９で互いに回転可能に結合される一対のトング・メンバ１２、１３、その一対のトング・メンバ１２、１３の先端に形成される半割りチャック１４、その一対のトング・メンバ１２、１３のハンマ・スライド・ロッド・エンド１９、２０に対応的に形成される一対のハンマ受け２１、２２、およびそのピン２９および半割りチャック１４の間でその一対のトング・メンバ１２、１３に対応的に突き出されてその一対のトング・メンバ１２、１３に挟み動作させる一対のグリップ２３、２４から構成され、また、チップ抜きハンマ２５が、その一対のトング・メンバ１２、１３の両方の一方のハンマ・スライド・ロッド１７、１８をはめ合わせてそのハンマ・スライド・ロッド１７、１８に摺動可能にするスリット２８を開口するハンマ・ヘッド２６およびそのハンマ・ヘッド２６に一体的に結合されるシャンク２７から構成される。
【０００７】
そのハンマ・スライド・ロッド１７、１８は、そのトング・メンバ１２、１３の他端に一体的に伸長される長い曲りロッドに作られ、そして、そのチップ抜きハンマ２５を垂直方向で下方に滑らせてそのチップ抜きハンマ２５をそのハンマ受け２１、２２に確実に衝撃的に当て可能にする。
【０００８】
その半割りチャック１４は、一対の引掛けフランジ付き半円筒形チャック・メンバ１５、１６から構成されてその電極チップ４０を挟み込み可能にする。
【０００９】
したがって、そのキャップ型電極チップ交換工具１０は、先ず、そのスポット溶接機３０においてその半割りチャック１４の片側、すなわち、その一対のチャック・メンバ１５、１６の一方にその電極チップ４０を当てる。次に、その一対のグリップ２３、２４を握り締めてその一対のチック・メンバ１５、１６を閉じてその半割りチャック１４にその電極チップ４０を挟み込む。次いで、その両方のトング・メンバ１２、１３のそのハンマ・スライド・ロッド１７、１８の上方にそのチップ抜きハンマ２５のそのハンマ・ヘッド２６のそのスリット２８をはめ合わせ、その状態でそのチップ抜きハンマ２５をそのハンマ・スライド・ロッド１８にそって垂直方向で下方に滑らせてそのハンマ・ヘッド２６をそのハンマ受け２１、２２に勢い良く当てる。そうすると、その電極チップ４０は、そのハンマ・ヘッド２６の衝撃的エネルギでそのシャンク３２のそのテーパ・ホーン３３から簡単に抜けて取り外される。
【００１０】
このスポット溶接機のキャップ型電極チップ交換工具１０では、その電極チップ４０がその半割りチャック１４に挟み込まれ、そして、垂直方向で下方に作用するそのチップ抜きハンマ２５の衝撃エネルギでそのシャンク３２のそのテーパ・ホーン３３から抜かれるので、スポット打点位置が狂わせられず、そして、そのホルダ３１や２次ケーブルなどの位置が変ることもなくなる。また、その電極チップ４０が、それのほぼ全周でその半割りチャック１４を受けるので、その電極チップ４０は傷付けられずに繰り返して使用可能になる。さらに、その半割りチャック１４の形状寸法を変更すれば、そのキャップ型電極チップ交換工具１０は小さなサイズから大きなサイズの電極チップに活用できて段取り代えによる種々の電極チップを用意に交換でき、そして、その交換作業時間を短縮する。
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１２】
【発明の便益】
上述から理解されるように、この発明のスポット溶接機のキャップ型電極チップ交換工具は、ピンで互いに回転可能に結合される一対のトング・メンバ、その一対のトング・メンバの先端に対応的に形成される半割りチャック、その一対のトング・メンバのハンマ・スライド・ロッド・エンドに対応的に形成される一対のハンマ受け、およびそのピンおよび半割りチャックの間でその一対のトング・メンバに対応的に突き出されて挟み動作させる一対のグリップから構成されるチップ・トングと、その一対のトング・メンバの両方のそのハンマ・スライド・ロッドをはめ合わせてそのハンマ・スライド・ロッドに摺動可能にするスリットを開口するハンマ・ヘッドおよびそのハンマ・ヘッドに一体的に結合されるシャンクから構成されるチップ抜きハンマとを含むので、この発明のスポット溶接機のキャップ型チップ交換工具では、その電極チップが偏芯ホルダに支持されると否とにかかわらず垂直方向で下方に作用するそのチップ抜きハンマの衝撃エネルギでホルダのシャンクから簡単に抜かれて取り外され、その電極チップが傷付けられずに繰り返し使用可能になって経済的になり、そして、スポット打点位置のずれが未然に防止されてホルダや２次ケーブルなどの位置が変ることもなく、また、その半割りチャックが形状寸法を変更するのみで小さなサイズから大きなサイズの電極チップに活用できて段取代えによる種々の電極チップを容易に交換でき、そして、その交換作業時間が短縮され、その結果、スポット溶接機にとって非常に有用で実用的である。
【図面の簡単な説明】
【図１】スポット溶接機に活用されるこの発明のスポット溶接機のキャップ型電極チップ交換工具の具体例を示した斜視図である。
【図２】そのスポット溶接機に使用される状態でそのキャップ型電極チップ交換工具を示した側面図である。
【図３】使用状態でそのキャップ型電極チップ交換工具のチップ・トングを一部断面して示した正面図である。
【符号の説明】
１１  チップ・トング
１２  トング・メンバ
１３  トング・メンバ
１４  半割りチャック
１５  引掛けフランジ付き半円筒形チャック・メンバ
１６  引掛けフランジ付き半円筒形チャック・メンバ
１７  ハンマ・スライド・ロッド
１８  ハンマ・スライド・ロッド
２１  ハンマ受け
２２  ハンマ受け
２３  グリップ
２４  グリップ
２５  チップ抜きハンマ
２６  ハンマ・ヘッド
２７  シャンク
２８  スリット
３０  スポット溶接機
３１  偏芯ホルダ
３２  シャンク
３３  テーパ・ホーン
４０  キャップ型電極チップ
【図１】
2004174554.tif 000003
【図２】
2004174554.tif 000004
【図３】
2004174554.tif 000005